(57)【特許請求の範囲】
【請求項１】
衛星からの電波を受信して現在位置を特定し、上記特定された現在位置の付近の映像情報を表示するナビゲーションシステムにおいて、
映像信号の垂直ブランキング期間の所定の水平期間にＶＢＩＤ信号の形態で上記映像信号に関連する位置情報が記録されて送信される電波を受信する電波受信手段と、
受信した上記電波から映像信号を復調する復調手段と、
復調された上記映像信号から記録されている上記ＶＢＩＤ信号を抽出するＶＢＩＤ信号復調手段と、
上記ＶＢＩＤ信号復調手段により抽出された上記ＶＢＩＤ信号が供給され、当該ＶＢＩＤ信号から上記位置情報を抽出するとともに、記録媒体に上記映像信号と上記映像信号に関連する上記位置情報とを関連して記録するよう記録動作を制御する第１の制御手段と、
位置情報を送信する衛星からの電波を受信する電波受信手段と、
受信した上記電波から現在位置の位置情報を特定する位置特定手段と、
上記位置特定手段によって特定された上記位置情報に応じた映像信号を上記記録媒体から読み出すよう読み出し動作を制御する第２の制御手段と、
上記第２の制御手段により読み出された上記映像信号を表示する表示手段と
を備えることを特徴とするナビゲーションシステム。
【請求項２】
衛星からの電波を受信して現在位置を特定し、上記特定された現在位置の付近の映像情報を表示するナビゲーションシステムにおいて、
映像信号の垂直ブランキング期間の所定の水平期間にＶＢＩＤ信号の形態で上記映像信号に関連する位置情報が記録されて送信される通信ネットワークを介してデータを受信するデータ受信手段と、
受信した上記データから映像信号を復調する復調手段と、
復調された上記映像信号から記録されている上記ＶＢＩＤ信号を抽出するＶＢＩＤ信号復調手段と、
上記ＶＢＩＤ信号復調手段により抽出された上記ＶＢＩＤ信号が供給され、当該ＶＢＩＤ信号から上記位置情報を抽出するとともに、記録媒体に上記映像信号と上記映像信号に関連する上記位置情報とを関連して記録するよう記録動作を制御する第１の制御手段と、
位置情報を送信する衛星からの電波を受信する電波受信手段と、
受信した上記電波から現在位置の位置情報を特定する位置特定手段と、
上記位置特定手段によって特定された上記位置情報に応じた映像信号を上記記録媒体から読み出すよう読み出し動作を制御する第２の制御手段と、
上記第２の制御手段により読み出された上記映像信号を表示する表示手段と
を備えることを特徴とするナビゲーションシステム。
【請求項３】
衛星からの電波を受信して現在位置を特定し、上記特定された現在位置の付近の映像情報を表示するナビゲーションシステムにおいて、
映像信号の垂直ブランキング期間の所定の水平期間にＶＢＩＤ信号の形態で上記映像信号に関連する位置情報が記録される第１の記録媒体からデータを再生するデータ再生手段と、
再生した上記データから映像信号を復調する復調手段と、
復調された上記映像信号から記録されている上記ＶＢＩＤ信号を抽出するＶＢＩＤ信号復調手段と、
上記ＶＢＩＤ信号復調手段により抽出された上記ＶＢＩＤ信号が供給され、当該ＶＢＩＤ信号から上記位置情報を抽出するとともに、第２の記録媒体に上記映像信号と上記映像信号に関連する上記位置情報とを関連して記録するよう記録動作を制御する第１の制御手段と、
位置情報を送信する衛星からの電波を受信する電波受信手段と、
受信した上記電波から現在位置の位置情報を特定する位置特定手段と、
上記位置特定手段によって特定された上記位置情報に応じた映像信号を上記記録媒体から読み出すよう読み出し動作を制御する第２の制御手段と、
上記第２の制御手段により読み出された上記映像信号を表示する表示手段と
を備えることを特徴とするナビゲーションシステム。
【請求項４】
請求項１、２、または３に記載のナビゲーションシステムにおいて、
上記電波受信手段は、携帯可能な通信端末の構成とされ、
上記通信端末で受信した電波から基地局が発信する基地局ＩＤを抽出し、
上記位置特定手段では、抽出された上記基地局ＩＤに基づいて位置情報を特定するようにしたことを特徴とするナビゲーションシステム。
【発明の詳細な説明】
【０００１】
【発明の属する技術分野】
この発明は、現在位置を映像によって、知るための記録装置およびナビゲーションシステムに関する。
【０００２】
【従来の技術】
衛星からの電波を受信して現在位置を特定し、その付近の地図を記録媒体から読み出し、読み出された地図上に現在位置を表示するナビゲーションシステムは、既に実用化されている。
【０００３】
【発明が解決しようとする課題】
しかしながら、表示された地図からは、２次元的な情報しか得ることができないため、現地に行ってもよく分からないといったことがよくあった。
【０００４】
さらに、記録媒体に記録されている地図情報は、更新することが不可能なため、現場の状況が変化した場合、その内容を反映させることができない等の問題があった。
【０００５】
よって、この発明の目的は、放送される電波を利用して特定された現在位置付近の映像信号を送信し、表示させ、さらにその映像信号を記録／再生することができる記録装置およびナビゲーションシステムを提供することにある。
【０００６】
【課題を解決するための手段】
請求項１に記載の発明は、衛星からの電波を受信して現在位置を特定し、特定された現在位置の付近の映像情報を表示するナビゲーションシステムにおいて、映像信号の垂直ブランキング期間の所定の水平期間にＶＢＩＤ信号の形態で映像信号に関連する位置情報が記録されて送信される電波を受信する電波受信手段と、受信した電波から映像信号を復調する復調手段と、復調された映像信号から記録されているＶＢＩＤ信号を抽出するＶＢＩＤ信号復調手段と、ＶＢＩＤ信号復調手段により抽出されたＶＢＩＤ信号が供給され、当該ＶＢＩＤ信号から位置情報を抽出するとともに、記録媒体に映像信号と映像信号に関連する位置情報とを関連して記録するよう記録動作を制御する第１の制御手段と、位置情報を送信する衛星からの電波を受信する電波受信手段と、受信した電波から現在位置の位置情報を特定する位置特定手段と、位置特定手段によって特定された位置情報に応じた映像信号を記録媒体から読み出すよう読み出し動作を制御する第２の制御手段と、第２の制御手段により読み出された映像信号を表示する表示手段とを備えることを特徴とするナビゲーションシステムである。
【０００７】
また、請求項２に記載の発明は、衛星からの電波を受信して現在位置を特定し、特定された現在位置の付近の映像情報を表示するナビゲーションシステムにおいて、映像信号の垂直ブランキング期間の所定の水平期間にＶＢＩＤ信号の形態で映像信号に関連する位置情報が記録されて送信される通信ネットワークを介してデータを受信するデータ受信手段と、受信したデータから映像信号を復調する復調手段と、復調された映像信号から記録されているＶＢＩＤ信号を抽出するＶＢＩＤ信号復調手段と、ＶＢＩＤ信号復調手段により抽出されたＶＢＩＤ信号が供給され、当該ＶＢＩＤ信号から位置情報を抽出するとともに、記録媒体に映像信号と映像信号に関連する位置情報とを関連して記録するよう記録動作を制御する第１の制御手段と、位置情報を送信する衛星からの電波を受信する電波受信手段と、受信した電波から現在位置の位置情報を特定する位置特定手段と、位置特定手段によって特定された位置情報に応じた映像信号を記録媒体から読み出すよう読み出し動作を制御する第２の制御手段と、第２の制御手段により読み出された映像信号を表示する表示手段とを備えることを特徴とするナビゲーションシステムである。
【０００８】
さらに、請求項３に記載の発明は、衛星からの電波を受信して現在位置を特定し、特定された現在位置の付近の映像情報を表示するナビゲーションシステムにおいて、映像信号の垂直ブランキング期間の所定の水平期間にＶＢＩＤ信号の形態で映像信号に関連する位置情報が記録される第１の記録媒体からデータを再生するデータ再生手段と、再生したデータから映像信号を復調する復調手段と、復調された映像信号から記録されているＶＢＩＤ信号を抽出するＶＢＩＤ信号復調手段と、ＶＢＩＤ信号復調手段により抽出されたＶＢＩＤ信号が供給され、当該ＶＢＩＤ信号から位置情報を抽出するとともに、第２の記録媒体に映像信号と映像信号に関連する位置情報とを関連して記録するよう記録動作を制御する第１の制御手段と、位置情報を送信する衛星からの電波を受信する電波受信手段と、受信した電波から現在位置の位置情報を特定する位置特定手段と、位置特定手段によって特定された位置情報に応じた映像信号を記録媒体から読み出すよう読み出し動作を制御する第２の制御手段と、第２の制御手段により読み出された映像信号を表示する表示手段とを備えることを特徴とするナビゲーションシステムである。
【０００９】
また、請求項４に記載の発明は、衛星からの電波を受信する受信手段と、受信された電波から現在位置の位置情報を特定する位置特定手段と、位置情報と該位置情報に関連する映像信号とが予め記録され、位置特定手段によって特定された位置情報の映像信号が読み出される記録手段と、読み出された映像信号を表示するディスプレイとを有し、記録手段には、映像信号の垂直ブランキング期間に重畳されているＶＢＩＤ信号部の所定部に、映像信号に関連する位置情報が記録されたデータから抽出された映像信号と映像信号に関連する位置情報とが関連して記憶されるようにしたことを特徴とするナビゲーションシステムである。
【００１０】
放送される電波において、映像信号とその映像信号に関連する位置情報とを重畳し、受信側で映像信号から映像信号に関連する位置情報を抽出し、抽出された位置情報と映像信号とをリンクし、記録媒体に記録しておくことにより、その記録媒体と位置情報を特定可能な携帯端末とを組み合わせて使用することで、現在位置を映像情報で確認することができる。
【００１１】
【発明の実施の形態】
以下、この発明の実施例について図面を参照しながら詳細に説明する。この実施例においては、放送される電波を利用して映像信号に位置情報を重畳する。さらに、この実施例では、位置情報は、垂直ブランキング期間に重畳される。図１に示すように、垂直ブランキング期間の所定の水平期間にディジタル信号の形態で挿入される。（以下、このような識別信号をＶＢＩＤと称する。）
例えば、所定のライン中の水平同期信号およびカラーバースト信号の後の有効ビデオ信号領域に、２ビットのリファレンスおよび２０ビットの（ビット１〜ビット２０）のディジタル信号が挿入される。リファレンスのレベルが７０ＩＲＥと規定され、ディジタル信号の２値レベルが０ＩＲＥまたは７０ＩＲＥと規定される。このディジタル信号がＶＢＩ信号として符号化される。リファレンスおよびディジタル信号のクロック周波数ｆｃは、色副搬送波周波数をｆｓｃとすると、（ｆｃ＝ｆｓｃ／８≒４４７ｋＨｚ）に選定される。
【００１２】
図２は、映像信号とその映像信号に関連した位置情報とを記録するシステムの第１の実施例である。１で示すアンテナからＴＶ（テレビジョン）放送の電波を受信する。このアンテナ１は、ケーブル受信時には、ケーブルとなる。受信されたＴＶ信号は、アンテナ１からＴＶ信号復調器２へ供給される。ＴＶ信号復調器２は、受信したＴＶ信号を復調するものであり、ＲＦ信号から映像信号の復調を行う。復調された映像信号は、ＴＶ信号復調器２からＶＢＩＤ復調器３および映像信号サーバ５へ供給される。
【００１３】
ＶＢＩＤ復調器３では、復調された映像信号の中からＶＢＩＤデータが取り出される。取り出されたＶＢＩＤデータは、マイクロコンピュータ（μ−ｃｏｍ）４へ供給される。マイクロコンピュータ４では、供給されたＶＢＩＤが読み取られ、そのＶＢＩＤの中から位置情報が抽出される。抽出された位置情報は、映像信号サーバ５へ供給される。また、マイクロコンピュータ４は、映像信号サーバ５を制御する。映像信号サーバ５では、ＴＶ信号復調器２からの映像信号とその映像信号に関連する位置情報とがリンクして記録される。ハードディスク６は、映像信号サーバ５から必要な部分を読み出し、記録するものである。
【００１４】
この図２に示す記録システムの構成の第１の実施例の要点は、映像信号と共にその映像信号に関連する位置情報を放送される電波に重畳して伝送するという点である。このときの、映像信号とは、例えば位置情報で規定される場所の映像である。このシステムにより、映像信号とその映像信号に関連する位置情報とをリンクさせてハードディスク等の記録媒体に記録することが可能となる。
【００１５】
この記録媒体を携帯したナビゲーションシステムの第１の実施例について説明する。図３は、位置情報を特定可能な端末と、既に図２のシステムにおいて記録された記録媒体（ハードディスク等）とを組み合わせて使用したナビゲーションシステムの第１の実施例である。このシステムにおいて、位置情報は、緯度・経度の情報を利用するものとしている。
【００１６】
アンテナ１１は、位置情報を特定するために衛星からの電波を受信する。受信された電波は、位置情報特定器１２へ供給される。位置情報特定器１２では、供給された電波を元に現在の位置情報が特定される。特定された位置情報は、マイクロコンピュータ１３へ供給される。マイクロコンピュータ１３では、供給された位置情報に応じて、後段のハードディスク１４が制御される。映像信号とその映像信号に関連する位置情報が記録されているハードディスク１４からマイクロコンピュータ１３に供給された位置情報に応じた映像信号が読み出される。読み出された映像信号は、ディスプレイ１５へ供給される。ディスプレイ１５では、供給された映像信号が表示される。
【００１７】
この図３のシステムによれば、衛星からの電波を受信して現在の位置情報が特定でき、特定された位置（あるいはその付近）の情報を映像情報として参照することが可能となる。
【００１８】
図２および図３のシステムにより、外部から伝送されてくる映像情報とその映像情報に関連する位置情報とを記録媒体に蓄積する。もしくは、記録内容の一部を別の記録媒体に読み込みませる。このような記録媒体と位置情報を特定可能な携帯端末とを組み合わせて使用することにより、映像情報によるナビゲーションシステムの構築が可能となる。
【００１９】
図２および図３のシステムにより、外部から伝送されてくる映像情報とその映像情報に関連する位置情報とを記録媒体に蓄積する。もしくは、記録内容の一部を別の記録媒体に読み込ませる。このような記録媒体と位置情報を特定可能な携帯端末とを組み合わせて使用することにより、映像情報によるナビゲーションシステムの構築が可能となる。
【００２０】
まず、図４に示す第２の実施例は、放送される電波の代わりにインターネットを用いて映像信号とその映像信号に関連する位置情報とを伝送し、記録媒体に映像信号とその映像信号に関連する位置情報とを記録するシステムである。データ解読器２１は、インターネットを介して伝送されてきたデータから映像信号を解読する。伝送されたデータは、マイクロコンピュータ２２へ供給され、解読された映像信号は、映像信号サーバ２３へ供給される。
【００２１】
マイクロコンピュータ２２は、データ解読器２１からのデータに応じて位置情報を抽出する。また、マイクロコンピュータ２２は、映像信号サーバ２３を制御する。抽出された位置情報は、映像信号サーバ２３へ供給される。映像信号サーバ２３では、映像信号とその映像信号に関連する位置情報とがリンクして、記録される。ハードディスク２４は、映像信号サーバ２３から必要な部分を読み出して記録する。このハードディスクを用いて、上述した図３に示すように、位置情報が特定可能な携帯端末と組み合わせて使用することができる。
【００２２】
この第２の実施例では、インターネットを用いて映像信号とその映像信号に関連する位置情報が供給されているが、これはインターネットに限らず映像信号とその映像信号に関連する位置情報を供給することが可能な通信ネットワークならばどのような通信ネットワークを用いても可能である。
【００２３】
そして、図５に示す第３の実施例は、映像信号とその映像信号に関連する位置情報とを伝送する手段としてパッケージメディアであるビデオテープを利用し、記録媒体に映像信号とその映像信号に関連する位置情報とを記録するシステムである。上述した実施例と同じ機能のブロックは、同じ参照符号を付し、その説明を省略する。ビデオテープ３１は、映像信号とその映像信号に関連する位置情報がリンクして、記録されている。このとき、位置情報は、図１に示すように、ＶＢＩＤによって記録されているものとする。ＶＴＲ（ビデオテープレコーダ）３２は、ビデオテープ３１を再生するためのものである。再生された映像信号は、ＶＢＩＤ復調器３および映像信号サーバ５へ供給される。
【００２４】
この第３の実施例では、ビデオテープを用いて映像信号とその映像信号に関連する位置情報が供給されているが、これはビデオテープに限らずＣＤ−ＲＯＭ、ＭＯまたはフロッピーディスク等の映像信号とその映像信号に関連する位置情報を供給することが可能なパッケージメディアなら何を用いても可能である。
【００２５】
図６は、位置情報を特定可能な携帯端末としてＰＨＳ（パーソナルハンディーフォンシステム）を利用したナビゲーションシステムの他の実施例である。この他の実施例では、位置情報の特定には、各基地局が発信する基地局ＩＤを利用するものとする。ＰＨＳ４１は、アンテナ４２、位置情報特定器４３およびマイクロコンピュータ４４から構成される。アンテナ４２は、基地局からの電波を受信し、受信した電波を位置情報特定器４３へ供給する。
【００２６】
位置情報特定器４３は、受信して電波から基地局ＩＤを抽出し、その基地局ＩＤを元に位置情報を特定する。特定された位置情報は、マイクロコンピュータ４４へ供給される。マイクロコンピュータ４４は、位置情報特定器４３からの位置情報に応じて後段のハードディスク４５を制御する。ハードディスク４５には、映像信号とその映像信号に関連する位置情報がリンクして、記録されている。ハードディスク４５では、特定された位置情報に応じた映像信号が読み出され、読み出された映像信号は、ディスプレイ４６へ供給される。ディスプレイ４６には、供給された映像信号が表示される。
【００２７】
この図６のシステムに依れば、各基地局からの基地局ＩＤを受信して現在位置（エリア）情報が特定できれば、その位置情報（あるいはその付近）の映像信号を得ることが可能となる。
【００２８】
上述した各システムは、例えば既存のカーナビゲーションシステムに応用すれば、映像信号によるナビゲーションが可能となる。また、定期的にハードディスク等の記録媒体の映像信号を放送される電波等で更新することにより、常に最新の映像情報によるナビゲーションが可能となる。
【００２９】
その他、観光案内や店案内等のＴＶ番組で、映像信号に位置情報を重畳して道順等を伝送すれば、現地において映像信号を確認しながら迷うことなく目的地に到達することも可能である。
【００３０】
映像信号とその映像信号に関連する位置情報を記録する側の大容量のサーバを用意しておけば、例えば映像情報によるナビゲーションのライブラリが構築できる。このように構築されたサーバから必要な時に必要な場所の情報のみを取り出してハードディスク等の携帯可能な記録媒体に記録することにより、位置情報を特定可能な携帯端末と組み合わせて使用することで、映像によるナビゲーションシステムを容易に実現することも可能となる。
【００３１】
【発明の効果】
この発明に依れば、放送される電波等において、映像信号にその映像信号に関連する位置情報を重畳して伝送することにより、受信側でその映像信号と関連する位置情報をリンクして記録媒体に記録することが可能となる。
【００３２】
また、この発明に依れば、映像信号とその映像信号に関連する位置情報が記録されている記録媒体と、位置情報を特定することができる携帯端末とを組み合わせて使用することにより、映像情報によるナビゲーションシステムの構築が可能となる。
【００３３】
さらに、この発明に依れば、放送される電波で定期的に映像情報を更新することにより、常に最新の映像情報によるナビゲーションが可能となる。
【図面の簡単な説明】
【図１】この発明に係るＶＢＩＤの説明に用いる略線図である。
【図２】この発明の記録システムの第１の実施例のブロック図である。
【図３】この発明のナビゲーションシステムの第１の実施例のブロック図である。
【図４】この発明の記録システムの第２の実施例のブロック図である。
【図５】この発明の記録システムの第３の実施例のブロック図である。
【図６】この発明のナビゲーションシステムの第２の実施例のブロック図である。
【符号の説明】
１１・・・アンテナ、１２・・・位置情報特定器、１３・・・マイクロコンピュータ、１４・・・ハードディスク、１５・・・ディスプレイ
【図１】
0003961599.tif 000002
【図２】
0003961599.tif 000003
【図３】
0003961599.tif 000004
【図４】
0003961599.tif 000005
【図５】
0003961599.tif 000006
【図６】
0003961599.tif 000007